(57)【特許請求の範囲】
【請求項１】
上部側面に把手取付け用凹部を形成し、その凹部内に把手を取付けたブロー成形ボトルにおいて、前記把手取付け用凹部の上下面の最奥部に把手の握り部の両端から突出した嵌着部を食い込ませて固定し、また把手取付け用凹部の下端から連続して周方向の凹リブを形成し、該凹リブの下に隣接して周方向の凸リブを形成するとともに、前記凹リブの幅内の把手取付け部下壁に、周方向に延びる断面円弧状の凹溝と凸条が形成されると共に、隣接する凹溝と凸条とが滑らかな曲線で接続した凹凸面が形成され、該凹凸面の周方向の長さが把手の幅と同等乃至は若干小さくなるようなに形成されていることを特徴とする把手付プラスチツクボトル。
【発明の詳細な説明】
【０００１】
【産業上の利用分野】
本発明は、ボトルにそれとは別体の把手を取付けたプラスチツクボトルに関する。
【０００２】
【従来の技術】
プラスチツクボトルは大型化すると、取扱いが不便になるので、本体の一部を把手状に成形したボトルが飲料用等として使用されている。ところがポリエチレンテレフタレートのようなポリエステル樹脂製ボトル等においては把手をボトル本体と一体成形するのが難しいので、図４の正面図に示すようにボトル１の上方に凹部２を形成し、その凹部２に別体の把手３を嵌着したボトルが使用されている。
【０００３】
【発明が解決しようとする課題】
ところが、上記従来のボトルは凹部２がボトル内方に大きく凹んでいるため、ボトル全体が非対称形状となり、把手取付け用凹部下方の把手取付け部下部２４はブロー成形時に大きく延伸されやすく、このため下部２４は肉厚が薄くなり、把手からの応力により変形したり外力、減圧、熱等により変形し易く、傾いたり凹部２が歪んで把手３の取り付け部と本体１との間に隙間を生じたり、把手３が外れやすくなったりするという問題点があった。
【０００４】
【課題を解決するための手段】
本発明は延伸され易く肉厚が薄くなる部分に凹凸面を形成することにより、上記問題点を解決するものであって、その要旨は上部側面に把手取付け用凹部を形成し、その凹部内に把手を取付けたブロー成形ボトルにおいて、前記把手取付け用凹部の上下面の最奥部に把手の握り部の両端から突出した嵌着部を食い込ませて固定し、また把手取付け用凹部の下端から連続して周方向の凹リブを形成し、該凹リブの下に隣接して周方向の凸リブを形成するとともに、前記凹リブの幅内の把手取付け部下壁に、周方向に延びる断面円弧状の凹溝と凸条が形成されると共に、隣接する凹溝と凸条とが滑らかな曲線で接続した凹凸面が形成され、該凹凸面の周方向の長さが把手の幅と同等乃至は若干小さくなるようなに形成されていることを特徴とする把手付プラスチツクボトルである。
【０００５】
以下、本発明を図面にもとづいて説明する。                              図１は本発明の把手付プラスチツクボトルの一例を示す斜視図、図２はその正面図、図３は同じく一部拡大した部分断面正面図であり、図４は従来の把手付プラスチツクボトルの一例を示す正面図である。
【０００６】
本発明は図１乃至図３に示すように、上部側面に把手取付け用凹部２を形成し、その凹部２内に把手３を取付けたブロー成形ボトル１において、前記把手取付け用凹部２の下端から連続して周方向の凹リブ２１を形成し、該凹リブ２１の下に隣接して周方向の凸リブ２２を形成するとともに、前記凹リブ２１の幅内の把手取付け部下壁２３に、凹凸面４を形成したことを特徴とする把手付プラスチツクボトルである。
【０００７】
ブロー成形ボトル１の上部側面には把手取付け用凹部２が形成され、その凹部２内には把手３が、機械的嵌合、接着など適宜手段により取付けられている。図１乃至図３の例では、あらかじめ射出成形等により成形された把手３をブロー成形型内にセツトし、ブロー成形と同時にボトル壁を把手にからみつけて取り付ける方法が用いられている。
【０００８】
把手取付け用凹部２はその深さがブロー成形ボトル１上部の直径の１／４〜１／３が好ましい。
【０００９】
把手３はたとえばポリプロピレン、ポリエチレンなどのプラスチツクを射出成形したものが用いられる。
【００１０】
周方向の凹リブ２１は、同じ凹形状である把手取付け用凹部２と、とぎれなく連続的に形成され、ボトル本体１の周囲を取り巻くように形状的にバランスをとって補強し、周方向の凹リブ２１の下に隣接して形成した周方向の凸リブ２２とともにボトル全体の変形を防ぐ作用を果たす。
【００１１】
そしてこれらの周方向の凹リブ２１および周方向の凸リブ２２は、ブロー成形時に把手取付け用凹部２の下方においてバランスよく抵抗作用を果たし、肉厚が偏るのを防いで把手取付け部下部の薄肉化を防ぐ作用がある。
【００１２】
凹凸面４は前記凹リブ２１の幅内の把手取付け部下壁２３に形成して、この部分にかかる応力を分散するとともに形状的に補強作用を奏する。
【００１３】
凹凸面４は、例えば図１〜２に示すように把手取付け部下壁２３の中央から左右面にかけて周方向に延びる断面円弧状の凹溝と凸条とによって形成されると共に、隣接する凹溝と凸条とが滑らかな曲線で接続した形状からなっている（図３に示す如く）。また図１に示すように、凹凸面４の周方向の長さは把手３の幅と同等乃至は若干小さい幅Ｗとなるように形成されている。
【００１４】
この凹凸面４はブロー成形型面に対応する形状を形成しておき、ボトル１をブロー成形する際に同時に付与することができる。
【００１５】
把手３は図３に示すように、握り部３１と、その握り部３１の両端から横方向に突出した嵌着部３２、３３とからなり全体としてほぼコの字状をなしている。嵌着部３２、３３の先端には、上方および下方に立ち上がる突子３４、３５を設け、ボトルに嵌着したときに食い込みやすく、また把手３のがたつきを防止するようにしてある。
【００１６】
この把手３をボトル本体１に取り付けた場合には、把手取付け用凹部２の上下面の最奥部（ボトル中心軸に近い方）において、突子３４、３５がボトル壁面に食い込んで埋め込まれている。最奥部は肉厚が大きく成形しやすいので突子３４、３５を確実に埋め込むことができる。この埋め込み部分はブロー成形時の抵抗になり偏心の原因になるが、前記凹リブや凸リブの薄肉化防止作用により、偏心が少ない。
【００１７】
【発明の効果】
本発明は上部側面に把手取付け用凹部を形成し、その凹部内に把手を取付けたブロー成形ボトルにおいて、前記把手取付け用凹部の上下面の最奥部に把手の握り部の両端から突出した嵌着部を食い込ませて固定し、また把手取付け用凹部の下端から連続して周方向の凹リブを形成し、該凹部の下端から連続して周方向の凹リブを形成し、該凹リブの下に隣接して周方向の凸リブを形成するとともに、前記凹リブの幅内の把手取付け部下壁に、凹凸面を形成したことを特徴とする把手付プラスチックボトルであるので、周方向の凹リブおよび周方向の凸リブによりボトル本体の周囲を取り巻くように形状的にバランスをとって補強し、またボトル成形時にバランスよく抵抗作用を果たし、肉厚が偏るのを防ぐばかりか、凹凸面により、把手取付け部下壁に加わる応力を分散するとともに形状的に補強リブ効果を生じ、空ボトルばかりでなく飲料等を充填したボトルにおいて、外力、減圧、熱等により変形し難いので、全体形状が傾いたり凹部が歪んで把手の取り付け部と本体との間に隙間を生じたりせず、把手の固定も一層安定するという効果がある。
【図面の簡単な説明】
【図１】本発明の把手付プラスチツクボトルの一例を示す斜視図。
【図２】本発明の把手付プラスチツクボトルの一例を示す正面図。
【図３】本発明の把手付プラスチツクボトルの一例を示す一部拡大した部分断面正面図。
【図４】従来の把手付プラスチツクボトルの一例を示す正面図。
【符号の説明】
１    ボトル
２    把手取付け用凹部
２１  周方向の凹リブ
２２  周方向の凸リブ
２３  把手取付け部下壁
３    把手
４    凹凸面
【図１】
0003552760.tif 000002
【図２】
0003552760.tif 000003
【図３】
0003552760.tif 000004
【図４】
0003552760.tif 000005